(57)【要約】      （修正有）【課題】機能的で、スタイリッシュなシルエットを有する吸水パンツを提供する。【解決手段】吸水パンツ１は、排泄物を吸収するための吸水部１２を備え、吸水部は、肌に接触可能な位置にあり吸水性を有する吸水層１Ｂと、該吸水層で吸水した水分を保持する保水層と、銀イオンを含む抗菌防臭層と、防水性を有する防水層と、伸縮性を有する伸縮層１Ａと、を有し、これらが順次積層されて構成されている。これによれば、吸水部は、薄さが得られつつ高い吸水量が確保されることにより、通常の下着と略同様の外観を得ることができる。これにより、機能的でありながらスタイリッシュなシルエットを得ることができる。【選択図】図１
0003234526.tif 000002
【実用新案登録請求の範囲】
【請求項１】
排泄物を吸収するための吸水部を備えた吸水パンツであって、
前記吸水部は、
肌に接触可能な位置にあり吸水性を有する吸水層と、
該吸水層で吸水した水分を保持する保水層と、
銀イオンを含む抗菌防臭層と、
防水性を有する防水層と、
伸縮性を有する伸縮層と、を有し、これらが順次積層されて構成されていることを特徴とする吸水パンツ。
【請求項２】
前記伸縮層がパンツ本体を構成し、
前記保水層、前記抗菌防臭層、及び前記防水層の各端縁が防水テープで覆われて構成されて、前記伸縮層と前記吸水層との間に保持されていることを特徴とする請求項１に記載の吸水パンツ。
【請求項３】
前記吸水層は、着用者の股を覆って前方及び後方に延在して設けられているとともに、後方に向かうにしたがって幅広となるように形成されていることを特徴とする請求項２に記載の吸水パンツ。
【請求項４】
前記パンツ本体には着用者の脚部が挿入される脚開口部が設けられ、
前記脚開口部の周縁は、前記吸水層及び前記伸縮層の各端縁がテープで覆われて構成されていることを特徴とする請求項２または３に記載の吸水パンツ。
【請求項５】
前記伸縮層がパンツ本体を構成し、
前記吸水層、前記保水層、前記抗菌防臭層、及び前記防水層が一体に設けられているとともに帯状に形成され、かつ帯長手方向の前端及び後端が前記パンツ本体に縫着され、帯幅方向の端縁はテープで覆われているとともに前記パンツ本体に縫着されていないことを特徴とする請求項１に記載の吸水パンツ。
【考案の詳細な説明】
【技術分野】
【０００１】
本考案は、吸水パンツに関する。
【背景技術】
【０００２】
従来、着用者の腹側から股間部を介して背側に延びる縦方向と該縦方向に直交する横方向とを有し、体液を吸収保持する吸収体と、該吸収体の非肌対向面側に配された外装体とを具備し、前身頃及び後身頃それぞれにおける該外装体の該縦方向に沿う両側縁部同士が接合されて一対のサイドシール部、ウエスト開口部及び一対のレッグ開口部が形成されているパンツ型吸収性物品が開示されている（例えば、特許文献１参照）。
【先行技術文献】
【特許文献】
【０００３】
【特許文献１】特開２０２１−１０４２８７号公報
【考案の概要】
【考案が解決しようとする課題】
【０００４】
近年、従来のパンツ型吸収性物品の如く吸水パンツには、通常の下着と同様の外観が要望されている。
【０００５】
本考案の目的は、機能的でありながらスタイリッシュなシルエットを有する吸水パンツを提供することにある。
【課題を解決するための手段】
【０００６】
上記目的は、以下の本考案によって解決される。
即ち、本考案は、排泄物を吸収するための吸水部を備えた吸水パンツであって、前記吸水部は、肌に接触可能な位置にあり吸水性を有する吸水層と、該吸水層で吸水した水分を保持する保水層と、銀イオンを含む抗菌防臭層と、防水性を有する防水層と、伸縮性を有する伸縮層と、を有し、これらが順次積層されて構成されていることを特徴とする。
【０００７】
即ち、吸水パンツの吸水部は、肌に接触可能な位置にある吸水性を有する吸水層と、該吸水層で吸水した水分を保持する保水層と、銀イオンを含む抗菌防臭層と、防水性を有する防水層と、伸縮性を有する伸縮層と、を有し、これらが順次積層されて構成されている。これによれば、吸水部は、薄さが得られつつ高い吸水量が確保されることにより、通常の下着と略同様の外観を得ることができる。これにより、機能的でありながらスタイリッシュなシルエットを得ることができる。
【０００８】
また、伸縮層がパンツ本体を構成し、保水層、抗菌防臭層、及び防水層の各端縁が防水テープで覆われて構成されて、伸縮層と吸水層との間に保持されていることが好ましい。これによれば、吸水部は、薄さを確保しながら高い吸水量を得ることができる。
【０００９】
また、吸水層は、着用者の股を含んで前方及び後方に延在して設けられているとともに、後方に向かうにしたがって幅広となるように形成されていることが好ましい。これによれば、後方に向かうにしたがって吸水層の面積が増加することにより、着用者は安心感を得ることができる。
【００１０】
また、パンツ本体には着用者の脚部が挿入される脚開口部が設けられ、脚開口部の周縁は、吸水層及び伸縮層の各端縁がテープで覆われて構成されていることが好ましい。これによれば、保水層、抗菌防臭層、及び防水層によって着用者の排泄物が吸水されるとともに、脚開口部の周縁まで到達することが抑制されて、着用者は外衣を汚すことなく、不快感を抑制することができる。
【００１１】
また、伸縮層がパンツ本体を構成し、吸水層、保水層、抗菌防臭層、及び防水層が一体に設けられているとともに帯状に形成され、かつ帯長手方向の前端及び後端がパンツ本体に縫着されて、帯幅方向の端縁はテープで覆われているとともにパンツ本体に縫着されていないことが好ましい。これによれば、吸水層、保水層、抗菌防臭層、及び防水層が一体に設けられて構成された吸水パッドが着用者の動作に追従してパンツ本体に対して変位する。これにより、着用者はフィット感を得ることができる。
【考案の効果】
【００１２】
本考案によれば、機能的でありながらスタイリッシュなシルエットを得ることができる。
【図面の簡単な説明】
【００１３】
【図１】本考案の第１実施形態にかかる吸水パンツとしての女性用吸水ショーツを斜め正面から見た斜視図である。
【図２】前記女性用吸水ショーツを斜め背面から見た斜視図である。
【図３】前記女性用吸水ショーツを正面から見た平面図であり、吸水部を透過して示す図である。
【図４】前記女性用吸水ショーツを背面から見た平面図であり、吸水部を透過して示す図である。
【図５】（Ａ）（Ｂ）（Ｃ）は、前記女性用吸水ショーツの吸水部を説明するための図である。
【図６】本考案の第２実施形態にかかる吸水パンツとしての男性用吸水パンツを斜め正面から見た斜視図である。
【図７】前記男性用吸水パンツを斜め背面から見た斜視図である。
【図８】前記男性用吸水パンツを正面から見た平面図であり、吸水部を透過して示す図である。
【図９】前記男性用吸水パンツを背面から見た平面図であり、吸水部を透過して示す図である。
【図１０】前記男性用吸水パンツを斜め正面から見た斜視図であり、吸水部を透過して示す図である。
【図１１】（Ａ）（Ｂ）は、前記男性用吸水パンツの吸水部を説明するための図である。
【考案を実施するための形態】
【００１４】
（第１実施形態）
以下、本考案の第１実施形態にかかる女性用吸水ショーツ１（吸水パンツ）を、図１〜５を参照して説明する。図１は、本考案の第１実施形態にかかる吸水パンツとしての女性用吸水ショーツ１を斜め正面から見た斜視図である。図２は、前記女性用吸水ショーツ１を斜め背面から見た斜視図である。図３は、前記女性用吸水ショーツ１を正面から見た平面図であり、吸水部１２の内部を透過して示す図である。図４は、前記女性用吸水ショーツ１を背面から見た平面図であり、吸水部１２の内部を透過して示す図である。図５は、（Ａ）（Ｂ）（Ｃ）は、前記女性用吸水ショーツ１の吸水部１２を説明するための図である。 
【００１５】
女性用吸水ショーツ１は、図１〜３に示すように、ショーツ本体１１（パンツ本体）と、該ショーツ本体１１に設けられて、着用者の排泄物を吸収するための吸水部１２と、を備える。
【００１６】
ショーツ本体１１は、図１、３に示すように、肌触りがよく伸縮性を有する外側布地１Ａ（伸縮層、トリノクール（登録商標））からなり、着用者の腹部を覆う前身頃部分１１０と着用者の臀部を覆う後身頃部分１１１が脇線部１１２で縫着されて形成されたウエスト開口部１１３と、一対の脚開口部１１４、１１４と、を備える。また、ウエスト開口部１１３の周縁における前側部分１１３Ｆ、及び脚開口部１１４の周縁において脇線部１１２の前後の両側部分１１２Ｆ、１１２Ｂは、伸縮性を有するレース地１Ａ２からなり、着用時にフィット感が得られるようになっている。
【００１７】
吸水部１２は、図３、４に示すように、吸水パッド１３を含んで構成されているとともに、吸水パッド１３が外側布地１Ａと後述する内側布地１Ｂ（吸水層、ドライミィ（登録商標））との間に挟んで保持されることで構成されている。即ち、吸水部１２は、外側布地１Ａと、内側布地１Ｂと、吸水パッド１３と、を有して構成されている。
【００１８】
内側布地１Ｂは、図３、５に示すように、着用者の肌に接触可能に設けられ、所定の幅寸法を有して股下部Ｓの前方Ｆ及び後方Ｂに延びて形成されている。この内側布地１Ｂは、図３、５（Ａ）（Ｂ）に示すように、ウエスト開口部１１３を構成するレース地１Ａ２の下端縁１１３Ｕに縫着される臍覆い部１Ｂ１（図５（Ａ）（Ｂ）に示す）と、該臍覆い部１Ｂ１の後方Ｂに連続するとともに、股下部Ｓに向かうしたがって徐々に幅狭になり、股下部Ｓから後方Ｂ（着用した際の上方）に進むにしたがって幅広となって、後端部（図４における符号１３ｂが示す位置）が後身頃部分１１１の中間部まで形成された内側布地連続部１Ｂ２（図１、３に示す）と、を備える。また、各脚開口部１１４においてレース地１Ａ２を除く部分は、内側布地１Ｂの内側布地連続部１Ｂ２及び外側布地１Ａの各端縁がテープＴ１で覆われて縫着されている。
【００１９】
吸水パッド１３は、図５（Ａ）（Ｂ）に示すように、内側布地１Ｂの幅寸法より小さい幅寸法を有して股下部Ｓの前方Ｆ及び後方Ｂに延びて形成されているとともに、外側布地１Ａと内側布地１Ｂとの間に保持されている。吸水パッド１３は、図５（Ａ）（Ｂ）（Ｃ）に示すように、内側布地１Ｂで吸水した水分を保持する保水布地１Ｃ（保水層、パイル生地）と、銀イオンを含む抗菌防臭布地１Ｄ（図５（Ｃ）に示す）（抗菌防臭層、リブフレッシュ（登録商標）Ｐスーパー）と、防水性を有する防水布地１Ｅ（図５（Ｂ）（Ｃ）に示す）（防水層、ＢＩＯ  ＧＵＡＲＤ（登録商標））と、を有し、これらが順次積層されて構成されている。また、吸水パッド１３は、図５（Ａ）（Ｂ）に示すように、保水布地１Ｃ、抗菌防臭布地１Ｄ及び、防水布地１Ｅが積層された状態で、幅方向の各端縁が防水カットテープＴ２（防水テープ）で覆われて縫着されているとともに、前端部１３ｆ（図３に示す）が内側布地１Ｂの臍覆い部１Ｂ１とともに外側布地１Ａに縫着され、後端部１３ｂ（図４に示す）が内側布地１Ｂの内側布地連続部１Ｂ２とともに外側布地１Ａに縫着されて、外側布地１Ａと内側布地１Ｂとの間に保持されている。
【００２０】
上述した女性用吸水ショーツ１（吸水パンツ）によれば、吸水パッド１３を含んで構成された吸水部１２は、肌に接触可能な位置にある吸水性を有する内側布地１Ｂ（吸水層）と、該内側布地１Ｂで吸水した水分を保持する保水布地１Ｃ（保水層）と、銀イオンを含む抗菌防臭布地１Ｄ（抗菌防臭層）と、防水性を有する防水布地１Ｅ（防水層）と、伸縮性を有する外側布地１Ａ（伸縮層）と、を有し、これらが順次積層されて構成されている。これによれば、吸水部１２は、薄さを確保しながら高い吸水量が得られることにより、通常の下着と略同様の外観を得ることができる。これにより、機能的でありながらスタイリッシュなシルエットを得ることができる。
【００２１】
また、外側布地１Ａ（伸縮層）がショーツ本体１１（パンツ本体）を構成し、保水布地１Ｃ（保水層）、抗菌防臭布地１Ｄ（抗菌防臭層）、及び防水布地１Ｅ（防水層）の各端縁が防水カットテープＴ２で覆われて構成されて、外側布地１Ａと内側布地１Ｂ（吸水層）との間に保持されている。これによれば、吸水部１２は、薄さを確保しながら高い吸水量を得ることができる。
【００２２】
また、内側布地１Ｂ（吸水層）は、着用者の股を含んで前方Ｆ及び後方Ｂに延在して設けられているとともに、後方Ｂに向かうにしたがって幅広となるように形成されている。これによれば、後方Ｂに向かうにしたがって吸水層の面積が増加することにより、着用者は安心感を得ることができる。
【００２３】
また、ショーツ本体１１（パンツ本体）には着用者の脚部が挿入される脚開口部１１４が設けられ、脚開口部１１４の周縁は、内側布地１Ｂ（吸水層）及び外側布地１Ａ（伸縮層）の各端縁がテープＴ１で覆われて構成されている。これによれば、保水布地１Ｃ、抗菌防臭布地１Ｄ、及び防水布地１Ｅによって着用者の排泄物が吸水されるとともに、脚開口部１１４の周縁まで到達することが抑制されて、着用者は外衣を汚すことなく、不快感を抑制することができる。
【００２４】
（第２実施形態）
続いて、本考案の第２実施形態にかかる男性用吸水パンツ２（吸水パンツ）を、図６〜１１を参照して説明する。図６は、本考案の第２実施形態にかかる吸水パンツとしての男性用吸水パンツ２を斜め正面から見た斜視図である。図７は、前記男性用吸水パンツ２を斜め背面から見た斜視図である。図８は、前記男性用吸水パンツ２を正面から見た平面図であり、吸水部２２の内部を透過して示す図である。図９は、前記男性用吸水パンツ２を背面から見た平面図であり、吸水部２２の内部を透過して示す図である。図１０は、前記男性用吸水パンツ２を斜め正面から見た斜視図であり、吸水部２２の内部を透過して示す図である。図１１は、（Ａ）（Ｂ）は、前記男性用吸水パンツ２の吸水部２２を説明するための図である。
【００２５】
男性用吸水パンツ２は、図６〜８に示すように、パンツ本体２１と、着用者の排泄物を吸収するための吸水部２２（図８に示す）と、を備える。
【００２６】
パンツ本体２１は、図６に示すように、肌触りがよく伸縮性を有する外側布地１Ａ（トリノクール（登録商標））からなり、着用者の下半身の股間前側に向けて突出する膨出形状の前カップ身頃２１０と、その両側に連なり着用者の脇線部１１２を経て尻部に沿う左右一対の前脇身頃１１０Ａ、１１０Ａ、及び後身頃部分１１１と、これらの下縁に連なり着用者の股下部Ｓに沿う股下部襠２１１と、を備え、これらが縫着されて形成されたウエスト開口部１１３と、一対の脚開口部１１４、１１４と、を備える。また、ウエスト開口部１１３を構成する周縁部は平ゴム（符号１１３が付与された部分）から構成されて、着用時にフィット感が得られるようになっている。
【００２７】
前カップ身頃２１０は、図６に示すように、左右一対の外側膨出部２１０Ｌ、２１０Ｒから構成されている。各外側膨出部２１０Ｌ、２１０Ｒにおいて、左右の幅方向の端縁ｓ１、ｓ２のうち一方の端縁ｓ１は直線状に設けられ、他方の端縁ｓ２は、後方に向かうにしたがって徐々に幅寸法が大きくなる前側曲線部ｓ２１と、該前側曲線部ｓ２１に連続して、後方に向かうにしたがって徐々に幅寸法が小さくなる後側曲線部ｓ２２と、を備える。このような前カップ身頃２１０は、各外側膨出部２１０Ｌ、２１０Ｒの一方の端縁ｓ１同士が縫着され、他方の端縁ｓ２のそれぞれが各前脇身頃１１０Ａ、１１０Ａに縫着されることにより、股間前側に向けて立体的に突出するように構成されている。
【００２８】
股下部襠２１１は、図８、９に示すように、前カップ身頃２１０の下端縁に縫着され、着用者の股下部Ｓを通って、後身頃部分１１１に縫着されている。この股下部襠２１１は、図８、９に示すように、略台形状に形成されていて、前カップ身頃２１０の下端縁に縫着される前端縁２１１ｆから、後身頃部分１１１に縫着された後端縁２１１ｂに向かうにしたがって徐々に幅広となるように形成されている。
【００２９】
吸水部２２は、図１０に示すように、吸水パッド２３を含んで構成されているとともに、吸水パッド２３がパンツ本体２１の前カップ身頃２１０、及び股下部襠２１１の内側（着用者側）に支持（装着）されることで構成されている。パンツ本体２１において、パンツ本体２１の前カップ身頃２１０、及び股下部襠２１１は、吸水パッド装着部２４を構成する。
【００３０】
吸水パッド２３は、図１１（Ａ）（Ｂ）に示すように、パンツ本体２１の前カップ身頃２１０と略同一形状となるように股間前側に向けて立体的に突出するように構成された吸水カップパッド２３１と、該吸水カップパッド２３１の後方Ｂに連続する吸水股下部襠２３２と、吸水カップパッド２３１の前方Ｆに連続してウエスト開口部１１３を構成する平ゴムとともに縫着される前方連続部２３３と、吸水股下部襠２３２の後方Ｂに連続してパンツ本体２１における股下部襠２１１の後端縁２１１ｂに縫着される後方連続部２３４と、を備える。吸水カップパッド２３１、及び吸水股下部襠２３２は、内側布地１Ｂ（吸水層、ドライミィ（登録商標））と、内側布地１Ｂで吸水した水分を保持する保水布地１Ｃ（保水層、パイル生地）と、銀イオンを含む抗菌防臭布地１Ｄ（抗菌防臭層、リブフレッシュ（登録商標）Ｐスーパー）と、防水性を有する防水布地１Ｅ（防水層、ＢＩＯ  ＧＵＡＲＤ（登録商標））と、を有し、これらが順次積層されて構成されている。前方連続部２３３、及び後方連続部２３４は、それぞれ防水布地１Ｅから構成されている。
【００３１】
このような吸水パッド２３は、吸水カップパッド２３１、吸水股下部襠２３２、前方連続部２３３、及び後方連続部２３４が所定の位置で縫着された状態で、幅方向の各端縁が防水カットテープＴ２で覆われて縫着されているとともに、前端部２３ｆが外側布地１Ａとともにウエスト開口部１１３を構成する平ゴムとともに縫着され、後端部２３ｂがパンツ本体２１における股下部襠２１１の後端縁２１１ｂに縫着されて、前端部２３ｆ及び後端部２３ｂを除く幅方向の各端部２３Ｒ、２３Ｌは何処にも縫着されていない。これによれば、吸水パッド２３が着用者の動作に追従してパンツ本体２１に対して変位する。
【００３２】
上述した男性用吸水パンツ２（吸水パンツ）によれば、吸水パッド２３を含んで構成された吸水部２２は、肌に接触可能な位置にある吸水性を有する内側布地１Ｂ（吸水層）と、該内側布地１Ｂで吸水した水分を保持する保水布地１Ｃ（保水層）と、銀イオンを含む抗菌防臭布地１Ｄ（抗菌防臭層）と、防水性を有する防水布地１Ｅ（防水層）と、伸縮性を有する外側布地１Ａ（伸縮層）と、を有し、これらが順次積層されて構成されている。これによれば、吸水部２２は、薄さを確保しながら高い吸水量が得られることにより、通常の下着と略同様の外観を得ることができる。これにより、機能的でありながらスタイリッシュなシルエットを得ることができる。
【００３３】
また、外側布地１Ａ（伸縮層）がパンツ本体２１を構成し、内側布地１Ｂ（吸水層）、保水布地１Ｃ（保水層）、抗菌防臭布地１Ｄ（抗菌防臭層）と、防水性を有する防水布地１Ｅ（防水層）と、伸縮性を有する外側布地１Ａ、及び防水布地１Ｅが一体に設けられているとともに帯状に形成され  かつ前後方向（帯長手方向）の前端部２３ｆ及び後端部２３ｂがパンツ本体２１に縫着されて、帯幅方向の各端部２３Ｒ、２３Ｌはパンツ本体２１に縫着されていない。これによれば、吸水パッド２３を構成する防水布地１Ｅ、保水布地１Ｃ、抗菌防臭布地１Ｄ、及び防水布地１Ｅが一体に設けられて構成された吸水パッド２３が着用者の動作に追従してパンツ本体２１に対して変位する。これにより、着用者はフィット感を得ることができる。
【００３４】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣服の構成を具備する限り、勿論、本考案の範疇に含まれるものである。
【符号の説明】
【００３５】
１            女性用吸水ショーツ（吸水パンツ）
２            男性用吸水パンツ（吸水パンツ）
１Ａ          外側布地（伸縮層）
１Ｂ          内側布地（吸水層）
１Ｃ          保水布地（保水層）
１Ｄ          抗菌防臭布地（抗菌防臭層）
１Ｅ          防水布地（防水層）
１１、２１    ショーツ本体（パンツ本体）
１２、２２    吸水部
１１４        脚開口部の周縁
Ｔ１          テープ
Ｔ２          防水カットテープ（防水テープ）
【図１】
0003234526.tif 000003
【図２】
0003234526.tif 000004
【図３】
0003234526.tif 000005
【図４】
0003234526.tif 000006
【図５】
0003234526.tif 000007
【図６】
0003234526.tif 000008
【図７】
0003234526.tif 000009
【図８】
0003234526.tif 000010
【図９】
0003234526.tif 000011
【図１０】
0003234526.tif 000012
【図１１】
0003234526.tif 000013